(57)【特許請求の範囲】
【請求項１】
遊技媒体の数量を計数するための計数部と、計数された前記遊技媒体の数量を表示するとともに遊技者に選択させる景品についての情報表示を行う表示部と、遊技者が景品を選択するためのキー操作部と、前記遊技媒体についての計数情報と遊技者が選択した景品についての選択情報とを所定媒体に記録して発券する発券部とからなる計数機と、
前記計数機と通信回線を介して接続し当該通信回線を通じて前記計数情報と前記選択情報とを受け取るとともに前記所定媒体から前記計数情報と前記選択情報とを取得する景品管理ＰＯＳと、該景品管理ＰＯＳからの指示により景品の払出しを行う景品払出し機とが設置されてなるカウンターと、を備えるシステムであって、
前記計数部によって前記遊技媒体の計数が開始されると当該計数の間に前記表示部に景品についての情報が表示され、
前記計数部における計数が終了すると前記表示部に計数結果が表示されるとともに当該表示を見た遊技者により景品選択の決定結果が前記キー操作部で入力され、
前記キー操作部での入力後に前記計数情報と前記選択情報とを記録した前記所定媒体が前記発券部によって発券されるとともに当該計数情報と当該選択情報とが前記通信回線を通じて前記景品管理ＰＯＳに伝送され、
前記カウンターにおいて前記景品管理ＰＯＳが得た前記計数情報と前記選択情報とを基にして該景品管理ＰＯＳが前記景品払出し機に対して景品の払い出しの指示を行う
ことを特徴とする遊技媒体の計数と景品の選択を行うシステム。
【請求項２】
前記表示部に景品についての情報を表示して、当該表示を見た遊技者に、当該景品の選択を行うか、獲得した遊技媒体を全数貯留するかを選択させ、
全数貯留することが選択されると、前記計数部による前記遊技媒体の計数結果についての情報を前記発券部で前記所定媒体に記録して発券する
ことを特徴とする請求項１記載の遊技媒体の計数と景品の選択を行うシステム。
【請求項３】
遊技媒体の数量を計数するための計数部と、計数された前記遊技媒体の数量を表示するとともに遊技者に選択させる景品についての情報表示を行う表示部と、遊技者が景品を選択するためのキー操作部と、前記遊技媒体についての計数情報と遊技者が選択した景品についての選択情報とを所定媒体に記録して発券する発券部とからなる計数機と、
前記計数機と通信回線を介して接続し当該通信回線を通じて前記計数情報と前記選択情報とを受け取るとともに前記所定媒体から前記計数情報と前記選択情報とを取得する景品管理ＰＯＳと、該景品管理ＰＯＳからの指示により景品の払出しを行う景品払出し機とが設置されてなるカウンターと、を備えるシステムであって、
前記計数部によって前記遊技媒体の計数をするとともに前記表示部に景品についての情報が表示され、
前記計数部における計数が終了すると前記表示部に計数結果が表示されるとともに当該表示を見た遊技者により景品選択の決定結果が前記キー操作部で入力され、
前記キー操作部での入力後に前記計数情報と前記選択情報とを記録した前記所定媒体が前記発券部によって発券されるとともに当該計数情報と当該選択情報とが前記通信回線を通じて前記景品管理ＰＯＳに伝送され、
前記カウンターにおいて、前記景品管理ＰＯＳに伝送された情報内容により景品を揃えておき、該情報内容と前記景品管理ＰＯＳが前記所定媒体から得た情報内容との照合を経た後に、該景品の払い出しを行う
ことを特徴とする遊技媒体の計数と景品の選択を行うシステム。
【発明の詳細な説明】
【０００１】
【発明の属する技術分野】
本発明は、遊技場における遊技媒体の計数と景品の選択を行うシステムに関し、詳しくは、遊技機に備えられた計数機において、遊技媒体を計数している間に遊技者が景品の選択を行い、遊技場における遊技媒体の計数から景品の交換までにかかる時間を短縮するシステムに関するものである。
【０００２】
【従来の技術】
遊技場における遊技媒体の計数は、一般的に遊技機島の端部に設けられた計数機にて行われる。
【０００３】
図５は、遊技機をパチンコ台を例に取って示したもので、２１はパチンコ台、２２はパチンコ台２１を背中合わせに複数台を横列状に並べて集合させたもので一般的に島と呼ばれている（以降、島）。２３はパチンコ台２１の間に設けられた台間玉貸し機、２４は島２２の端部に設けられた計数機である。
【０００４】
この計数機２４を使用して景品交換を行う方法について説明する。
遊技者は、パチンコ台２１で遊技した結果得られたパチンコ玉をドル箱と言われている箱に入れて計数機２４まで持っていき計数機２４に投入する。計数機２４ではパチンコ玉を計数した結果をカード（ＩＣカード、磁気カード等）、シート（バーコードを印刷したシート、レシート等）等で出力する。遊技者は出力されたカード、シート等を遊技場のカウンターで店員に渡して取得したパチンコ玉の数を確認してもらい、店員に取得したパチンコ玉の数に見合った希望する景品、すなわち特殊景品か一般景品か、一般景品なら何が欲しいかまたはその数を告げ、店員は遊技者から告げられた景品をその数を揃えて遊技者に渡す。
【０００５】
しかしながら、この島２２の端部に設けられた計数機２４を使用したパチンコ玉の計数および景品の払出しのシステムでは、遊技場の閉店間際あるいは閉店直後には計数機２４のところに遊技を終えてパチンコ玉を計数してもらおうとする遊技者が大勢並んでしまい、閉店直後のパチンコ玉の計数に非常に時間がかかるという問題があった。
さらに、カウンターでは店員が遊技者からわたされたカード、シート等から得られたパチンコ玉の数と、一人一人の遊技者が欲する景品とその数等を一々照らし合わせ、景品を揃えて渡すのに時間がかかるという問題もあった。
【０００６】
この計数機２４のところに遊技者が大勢並ぶ問題点を解消するために、図５の台間玉貸し機２３に計数機能をもたせて、遊技者はパチンコ台２１の隣の計数機能付きの台間玉貸し機２３にて取得したパチンコ玉を計数してカード、シート等で出力する方法もある。
しかしながら、この方法ではパチンコ玉の計数は並行処理されるので計数時間は短縮されるが、カウンターにカード、シート等を持った遊技者がさらに大勢並んでしまい、閉店直後のカウンターで大勢の遊技者の景品交換にさらに長い時間がかかるという大きな問題があった。
【０００７】
【発明が解決しようとする課題】
そこで本発明は、計数機でパチンコ玉の計数時間中に遊技者が自分の欲しい景品とその数を入力し、パチンコ玉の計数値と景品の種類と数をカウンターの景品管理ＰＯＳに伝送すると同時にカード、シート等に書き込み、カウンターでは店員は遊技者が渡すカード、シート等を景品管理ＰＯＳに通しただけで遊技者に渡す景品の種類と数を明確にし、景品払出し時間を短縮する遊技媒体の計数と景品の選択を行うシステムを提供することにある。
【０００８】
【課題を解決するための手段】
上記した課題を解決するため、本発明に係る遊技媒体の計数と景品の選択を行うシステムは、遊技媒体の数量を計数するための計数部と、計数された前記遊技媒体の数量を表示するとともに遊技者に選択させる景品についての情報表示を行う表示部と、遊技者が景品を選択するためのキー操作部と、前記遊技媒体についての計数情報と遊技者が選択した景品についての選択情報とを所定媒体に記録して発券する発券部とからなる計数機と、前記計数機と通信回線を介して接続し当該通信回線を通じて前記計数情報と前記選択情報とを受け取るとともに前記所定媒体から前記計数情報と前記選択情報とを取得する景品管理ＰＯＳと、該景品管理ＰＯＳからの指示により景品の払出しを行う景品払出し機とが設置されてなるカウンターと、を備えるシステムであって、前記計数部によって前記遊技媒体の計数が開始されると当該計数の間に前記表示部に景品についての情報が表示され、前記計数部における計数が終了すると前記表示部に計数結果が表示されるとともに当該表示を見た遊技者により景品選択の決定結果が前記キー操作部で入力され、前記キー操作部での入力後に前記計数情報と前記選択情報とを記録した前記所定媒体が前記発券部によって発券されるとともに当該計数情報と当該選択情報とが前記通信回線を通じて前記景品管理ＰＯＳに伝送され、前記カウンターにおいて前記景品管理ＰＯＳが得た前記計数情報と前記選択情報とを基にして該景品管理ＰＯＳが前記景品払出し機に対して景品の払い出しの指示を行うことを特徴とするもので、遊技媒体の数量を計数している間に遊技者が表示部を見ながら景品を選択し得るようになるので、景品の払出し時間を短縮することが可能となる。
さらには、前記表示部に景品についての情報を表示して、当該表示を見た遊技者に、当該景品の選択を行うか、獲得した遊技媒体を全数貯留するかを選択させ、全数貯留することが選択されると、前記計数部による前記遊技媒体の計数結果についての情報を前記発券部で前記所定媒体に記録して発券することを特徴とするものであってもよい。
また、本発明に係る遊技媒体の計数と景品の選択を行うシステムは、遊技媒体の数量を計数するための計数部と、計数された前記遊技媒体の数量を表示するとともに遊技者に選択させる景品についての情報表示を行う表示部と、遊技者が景品を選択するためのキー操作部と、前記遊技媒体についての計数情報と遊技者が選択した景品についての選択情報とを所定媒体に記録して発券する発券部とからなる計数機と、前記計数機と通信回線を介して接続し当該通信回線を通じて前記計数情報と前記選択情報とを受け取るとともに前記所定媒体から前記計数情報と前記選択情報とを取得する景品管理ＰＯＳと、該景品管理ＰＯＳからの指示により景品の払出しを行う景品払出し機とが設置されてなるカウンターと、を備えるシステムであって、前記計数部によって前記遊技媒体の計数をするとともに前記表示部に景品についての情報が表示され、前記計数部における計数が終了すると前記表示部に計数結果が表示されるとともに当該表示を見た遊技者により景品選択の決定結果が前記キー操作部で入力され、前記キー操作部での入力後に前記計数情報と前記選択情報とを記録した前記所定媒体が前記発券部によって発券されるとともに当該計数情報と当該選択情報とが前記通信回線を通じて前記景品管理ＰＯＳに伝送され、前記カウンターにおいて、前記景品管理ＰＯＳに伝送された情報内容により景品を揃えておき、該情報内容と前記景品管理ＰＯＳが前記所定媒体から得た情報内容との照合を経た後に、該景品の払い出しを行うことを特徴とするもので、カウンターにおいては景品管理払出し機に伝送された内容によりあらかじめ景品を揃えておき、発券部で発券された内容との照合を行って、景品をすぐ払い出すことができるので、景品の払出し時間を短縮することが可能となる。
【０００９】
【発明の実施の形態】
以下に本発明の実施の形態を図１乃至図４に基づいて説明する。
図１は本発明の第１の実施形態に係る遊技媒体の計数と景品の選択を行うシステムに使用する計数手段のひとつである卓上型の計数機の斜視図、図２は本発明の第２の実施形態に係る計数機能付き台間玉貸し機に景品選択機能をもたせたシステムの正面図、図３は本発明の遊技媒体の計数と景品の選択を行うシステムの構成図、図４は本発明の遊技媒体の計数と景品の選択を行うシステムの動作を示すフローチャートである。
【００１０】
図１において、１は計数機であり、遊技媒体の計数と景品の選択を行うためにパチンコ玉を計数する計数部２、選択すべき景品の品名を表示し選択させる表示部３、カード、シート等を発行する発券部４により構成されている。そして、本発明に使用される計数機１は、図１に示したように、卓上型の計数機１であるので島端に取り付けるものであっても、また、島端に限定されることなく、島端以外にも島の中の任意の場所に取り付けることができるので、島の中に複数台を取り付けておけばパチンコ玉の計数を平行処理することができ、全体としての計数時間を短縮することができる。
【００１１】
計数部２は従来から使用されているパチンコ玉を計数する計数機を使用している。そして、パチンコ玉の計数結果は計数機１に内蔵されている図示されていない演算処理装置（ＣＰＵ）に送られて演算処理が行われたのち記憶装置に記憶されるとともに後述する表示部３に表示される。
【００１２】
表示部３はカラー液晶表示装置、カラー陰極線管等を使用し、表示部３の表面には景品とその数を選択可能にするためにタッチパネルが取り付けられている。表示部３の画面の表示は遊技者が選択する景品が食糧品、家庭用品、音楽ＣＤ、煙草、時計などの一般景品と、所定の換金所に持参すれば換金可能な特殊景品が表示され、景品の表示の邪魔をしない表示部３の下部あるいは隅にテンキーが表示されている。そして、遊技者はタッチパネルにより景品を選択し、テンキーにより景品の数を選択することができるようになっている。選択された景品情報は演算処理装置に送られて演算処理が行われたのち記憶装置に記憶される。
発券部４はパチンコ玉の計数結果と選択された景品情報が演算処理装置から出力されカード、シート等に記録する機能を持っている。
【００１３】
図２において、１１はパチンコ台であり、このパチンコ台１１には計数機能付き台間玉貸し機１２が付属している。そして、この計数機能付き台間玉貸し機１２にはカラー液晶表示装置からなる表示部１３と、テンキーとアルファベットなどの文字キーの組み合わせからなっている選択キー１４と、カード、シート等の発券部１５が設けられている。その他の機能は従来からある台間玉貸し機と同様である。
この計数機能付き台間玉貸し機１２では、パチンコ玉の計数結果は計数機能付き台間玉貸し機１２に内蔵されている図示されていない演算処理装置に送られて演算処理が行われたのち記憶装置に記憶されるともに後述する表示部１３に表示される。
【００１４】
表示部１３の画面の表示は計数機１の表示部３と同様に、選択する景品が食糧品、家庭用品、音楽ＣＤ、煙草、時計などの一般景品と、所定の換金所に持参すれば換金可能な特殊景品が表示されている。そして、遊技者は選択キー１４により景品の種類と景品の数とを選択することができるようになっている。選択された景品情報は演算処理装置に送られて演算処理が行われたのち記憶装置に記憶される。
パチンコ玉の計数結果と選択された景品情報が演算処理装置から出力され、発券部１５から記録されたカード、シート等を発行する。
【００１５】
本発明の遊技媒体の計数と景品の選択を行うシステムの全体構成を図３により説明する。
図３において、５は島で、この島５を本発明の第１の実施形態の計数機１を設置した島５ａと本発明の第２の実施形態の計数機能付き台間玉貸し機１２を設置した島５ｂを並設させた形態で説明する。
６は通信回線で、島５ａの端部の計数機１からと、島５ｂの計数機能付き台間玉貸し機１２からの２回線がカウンター７に設置された景品管理ＰＯＳ（Point of Sales：販売時点情報管理システム）８と接続され、計数機１あるいは計数機能付き台間玉貸し機１２からの計数情報と景品選択情報が送られる。カウンター７にはさらに景品払出し機９が景品管理ＰＯＳ８と接続されて設置されており、景品管理ＰＯＳ８で受け取った計数情報と景品選択情報により景品が払い出されるようになっている。
【００１６】
本発明の遊技媒体の計数と景品の選択を行うシステムの動作を図４のフローチャートにより説明する。この動作フローは遊技者が会員カードを持っておりこの会員カードを使用してパチンコ玉の計数処理および景品選択の処理を行う場合を例に取り説明する。
まず、会員は計数機１の発券部４あるいは計数機能付き台間玉貸し機１２の発券部１５に自分の会員カードを挿入し（Ｓ１）、タッチパネルのテンキーか操作キー１４から自分の暗証番号を入力する（Ｓ２）。つぎに、計数機１の計数部２あるいは計数機能付き台間玉貸し機１２内の図示されていない計数部でパチンコ玉の計数が開始される（Ｓ３）。
【００１７】
計数の間に表示部３あるいは表示部１３に交換景品名が表示される（Ｓ４）。遊技者は表示部３あるいは表示部１３を見ながら景品を選択するか、獲得したパチンコ玉を全数貯玉にするかを決定する（Ｓ５）。その間にパチンコ玉の計数が終了し（Ｓ６）、計数値が表示部３あるいは表示部１３に表示される（Ｓ７）。遊技者は表示された計数値を見て選択した景品を決定し、タッチパネルのテンキーまたは操作キー１４から入力する（Ｓ８）。景品決定後余り玉が出た場合は遊技者はその余り玉を貯玉するか否かを選択する（Ｓ９）。計数データと景品選択データが計数機１あるいは計数機能付き台間玉貸し機１２の記憶装置に記録される（Ｓ１０）。
【００１８】
記憶装置に記録されたデータは通信回線６を経由してカウンター７の景品管理ＰＯＳ８に通信される（Ｓ１１）。余り玉選択（Ｓ９）で貯玉を選択（Ｓ１２）された場合は、会員カードに計数データと景品選択データとともに貯玉データも記録され（Ｓ１３）、データの記録された会員カードは遊技者に戻される。余り玉選択（Ｓ９）で貯玉しないを選択した場合は、余り玉は遊技者に返却され（Ｓ１４）、遊技者は返却されたパチンコ玉を持って別のパチンコ台１１まで行きパチンコをするか、カウンターまで持って行き小額景品と交換する。
【００１９】
データの記録された会員カードを受け取った遊技者はカウンター７まで行き、カウンター７の景品管理ＰＯＳ８にこの会員カードを通して会員カードに記録されたデータと通信回線６を経由して通信されたデータとを照合して、景品払出し機９から景品を払い出す。
以上説明したように、本発明の遊技媒体の計数と景品の選択を行うシステムでは、カウンターにおいて計数データと景品選択データの記録された会員カードと通信回線６を経由して通信された計数データと景品選択データとを照合するだけで景品を払い出すことができるので、景品払出しの時間が短縮されカウンターに遊技者が大勢並ぶということを解消することができる。
【００２０】
以上、本発明の遊技媒体の計数と景品の選択を行うシステムについてパチンコ台を例に取り、パチンコ０玉を計数して景品を選択することで説明してきたが、本発明はパチンコ台に限定されることなくスロットマシンにも適用可能であり、その場合は、メダルを計数して景品を選択することになる。
【００２１】
【発明の効果】
以上説明した本発明の遊技媒体の計数と景品の選択を行うシステムによれば、計数機でパチンコ玉の計数を行いながら景品の選択が行われ、パチンコ玉の計数データと景品の選択データが通信回線を通してカウンターに伝送されるとともに会員カードにも記録されるので、遊技者はデータの記録された会員カードをカウンターの景品管理ＰＯＳに通すだけで短時間のうちに景品を受け取ることができる。
【００２２】
さらに、遊技場ではカウンターにおける景品の交換が短時間で行われるので、カウンターに設置する景品管理ＰＯＳの台数を減少させることができる。
また，遊技者がカウンターのところに大勢並ぶような混雑が解消され、遊技場の営業に差し障りが出るようなこともなくなり、スマートな遊技場の営業を行うことができる。
【図面の簡単な説明】
【図１】本発明の第１の実施形態に係る卓上型の計数機の斜視図である。
【図２】本発明の第２の実施形態に係る計数機能付き台間玉貸し機に景品選択機能をもたせたシステムの正面図である。
【図３】本発明の遊技媒体の計数と景品の選択を行うシステムの構成図である。
【図４】本発明の遊技媒体の計数と景品の選択を行うシステムの動作を示すフローチャートである。
【図５】従来のパチンコ島と計数機を示す斜視図である。
【符号の説明】
１…計数機、２…計数部、３，１３…表示部、４，１５…発券部、５…島、６…通信回線、７…カウンター、８…景品管理ＰＯＳ、９…景品払出し機、１１…パチンコ台、１２…計数機能付き台間玉貸し機、１４…操作キー
【図１】
0004225596.tif 000002
【図２】
0004225596.tif 000003
【図３】
0004225596.tif 000004
【図４】
0004225596.tif 000005
【図５】
0004225596.tif 000006